(57)【要約】【課題】メダル取り出し時における容器台側へのメダルのこぼれを無くす。【解決手段】メダル遊技機用のメダルを収容する収容タンク２を設け、同収容タンク２内のメダルを払い出すフィーダ３を設け、同フィーダ３の払出口下方に払い出されたメダルを２方向のいずれかへ案内する傾倒可能な可動シュート４を設け、同可動シュート４の案内先の一方にメダルジョッキＪを載置する容器台６を設け、案内先の他方にメダルを回収する回収タンク７を設け、メダル取り出し時における容器台６側へのメダルのこぼれを無くすようにした。【選択図】          図１
2004298332.tif 000002
【特許請求の範囲】
【請求項１】
メダル遊技機用のメダルを収容する収容タンクを設け、同収容タンク内のメダルを払い出すメダル払出装置を設け、収容タンクから所要量のメダルをメダル払出装置によってメダル運搬容器に取り出せるようにしたメダル取り出し装置であって、前記メダル払出装置の払出口下方に払い出されたメダルを２方向のいずれかへ案内する傾倒可能な可動シュートを設け、同可動シュートの案内先の一方にメダル運搬容器を載置する容器台を設け、案内先の他方にメダルを回収する回収タンクを設け、メダル取り出し時における容器台側へのメダルのこぼれを無くすようにしたことを特徴とするメダル取り出し装置。
【請求項２】
可動シュートを手動で傾倒させる操作ハンドルを設け、容器台側への可動シュートの傾倒でメダル払出装置を作動させるスイッチを設けた請求項１記載のメダル取り出し装置。
【請求項３】
可動シュートをモータの駆動力で回動させる可動シュート回動装置を設けた請求項１又は２記載のメダル取り出し装置。
【請求項４】
容器台がメダル運搬容器の重量を計測する重量計で、同重量計の重量値が取り出すべき所要量のメダル相当の重量値を超えるとメダル払出装置を停止させる制御装置を設けた請求項１〜３いずれか記載のメダル取り出し装置。
【請求項５】
容器台がメダル運搬容器の重量を計測する重量計で、同重量計の重量値がメダル運搬容器の載置を示す重量値となると可動シュートを容器台側へ傾倒させてメダル払出装置を始動させる始動装置を設け、重量計の重量値が取り出すべき所要量のメダル相当の重量値を超えるとメダル払出装置を停止させて可動シュートを回収タンク側へ傾倒させる停止装置を設けた請求項１記載のメダル取り出し装置。
【請求項６】
回収タンクに回収されたメダルを収容タンクへ戻すリフトを設けた請求項１〜４いずれか記載のメダル取り出し装置。
【発明の詳細な説明】
【０００１】
【発明の属する技術分野】
本発明は、スロットマシン等のメダル遊技機に使用するメダルを収容して所要量取り出せるようにしたメダル取り出し装置に関し、詳しくはメダル取り出し時におけるメダル運搬容器側への余剰メダルのこぼれを防止する技術に関する。
【０００２】
【従来の技術】
従来のメダル取り出し装置としては、装置本体内にメダルを収容する収容タンクを設け、同収容タンク内のメダルを払い出すフィーダ等のメダル払出装置を設け、同メダル払出装置の払出口下方にジョッキ等のメダル運搬容器を載置する容器台を設けた構造が一般的である。
【０００３】
ところで、このような構造の装置では、メダルを必要量取り出してメダル払出装置を停止操作後、取り出し切れなかった払い出し途中の余剰メダルがこぼれることがあり、こぼれたメダルは容器台上で跳ねて装置外へ落下してしまう問題があった。
【０００４】
【発明が解決しようとする課題】
本発明が解決しようとする課題は、従来のこれらの問題点を解消し、メダル取り出し時におけるメダル運搬容器側へのメダルのこぼれを防止する使い易いメダル取り出し装置を提供することにある。
【０００５】
【課題を解決するための手段】
かかる課題を解決した本発明の構成は、
１）  メダル遊技機用のメダルを収容する収容タンクを設け、同収容タンク内のメダルを払い出すメダル払出装置を設け、収容タンクから所要量のメダルをメダル払出装置によってメダル運搬容器に取り出せるようにしたメダル取り出し装置であって、前記メダル払出装置の払出口下方に払い出されたメダルを２方向のいずれかへ案内する傾倒可能な可動シュートを設け、同可動シュートの案内先の一方にメダル運搬容器を載置する容器台を設け、案内先の他方にメダルを回収する回収タンクを設け、メダル取り出し時における容器台側へのメダルのこぼれを無くすようにしたことを特徴とするメダル取り出し装置
２）  可動シュートを手動で傾倒させる操作ハンドルを設け、容器台側への可動シュートの傾倒でメダル払出装置を作動させるスイッチを設けた前記１）記載のメダル取り出し装置
３）  可動シュートをモータの駆動力で回動させる可動シュート回動装置を設けた前記１）又は２）記載のメダル取り出し装置
４）  容器台がメダル運搬容器の重量を計測する重量計で、同重量計の重量値が取り出すべき所要量のメダル相当の重量値を超えるとメダル払出装置を停止させる制御装置を設けた前記１）〜３）いずれか記載のメダル取り出し装置
５）  容器台がメダル運搬容器の重量を計測する重量計で、同重量計の重量値がメダル運搬容器の載置を示す重量値となると可動シュートを容器台側へ傾倒させてメダル払出装置を始動させる始動装置を設け、重量計の重量値が取り出すべき所要量のメダル相当の重量値を超えるとメダル払出装置を停止させて可動シュートを回収タンク側へ傾倒させる停止装置を設けた前記１）記載のメダル取り出し装置
６）  回収タンクに回収されたメダルを収容タンクへ戻すリフトを設けた前記１）〜４）いずれか記載のメダル取り出し装置
にある。
【０００６】
【作用】
本発明によれば、容器台上にメダル運搬容器を載置後、可動シュートをメダル運搬容器側へ傾倒し、メダル払出装置を作動させてメダルを所要量取り出す。その後メダル払出装置を停止後可動シュートを回収タンク側へ傾倒させることで、取り出し切れなかった余剰メダルは回収タンク側へ落下して確実に回収され、メダル運搬容器側へこぼれて装置外へ落下することがない。
【０００７】
【発明の実施の形態】
本発明の可動シュートは、手動で傾倒させる操作ハンドルを設けたものや、モータの駆動力で回動させるクランク等の可動シュート回動装置を設けて押しボタン等の手段で作動できるようにしたものが用いられる。
【０００８】
払い出しを自動で停止させる場合は、容器台をメダル運搬容器の重量を計測できる重量計で構成し、同重量計の重量値が取り出すべき所要量のメダル相当の重量値を超えるとメダル払出装置を停止させるようにプログラムされたコントローラ等の制御装置が用いられる。
【０００９】
さらに、重量計の重量値がメダル運搬容器の載置を示す重量値となると可動シュートを容器台側へ傾倒させてメダル払出装置を始動させる始動装置を設けると、払い出し開始を自動化できる。なお、回収タンクに回収されたメダルを再利用できるように収容タンクへ戻すリフトを設けてもよい。
【００１０】
【実施例】
以下、本発明の実施例を図面に基づいて具体的に説明する。図１〜５に示す実施例は、スロットマシン群の一端に設置したメダル取り出し装置に本発明を適用した例である。図１は実施例のメダル取り出し装置の内部の斜視図、図２は実施例のメダル取り出し装置の動作を示す説明図、図３は実施例のメダル取り出し装置の設置状態を示す斜視図、図４，５は実施例の可動シュートの動作を示す説明図である。
【００１１】
本実施例のメダル取り出し装置１は、図１，２に示すようにメダルＭを収容する収容タンク２を配置し、同収容タンク２の下部にメダル払出装置であるフィーダ３を取り付け、同フィーダ３の吐出先に操作ハンドル４ａを備えた可動シュート４を２方向へ傾倒可能に軸支し、同傾倒先の一方に固定のシュート５と容器台６とを配置し、他方にモータ８ａで駆動するフィーダ８を備えた回収タンク７を配置し、フィーダ８の吐出先下方に受け口９ｂを備えモータ９ａで収容タンク２上方へメダルＭを搬送するリフト９を立設し、収容タンク２の上方に外部から供給したメダルＭを補給する補給路１０を配管している。
【００１２】
フィーダ３は、図２に示すように可動シュート４のシュート５側への傾倒で可動シュート４の所定部分と当接して作動するスイッチ３ｂを側面に取り付け、同スイッチ３ｂのＯＮ・ＯＦＦの信号を受けてモータ３ａを駆動又は停止させるコントローラ３ｃを設けている。
【００１３】
このメダル取り出し装置１を、図３に示すように複数並設されたゲーム機１１群の一端に設置している。１２はゲーム機１１で使用するメダルＭを遊技者に貸し出すメダル貸し機である。
【００１４】
本実施例では、予め補給路１０で収容タンク２内にメダルＭを貯留しておく。並設されたゲーム機１１又はメダル貸し機１２がメダルＭの不足で補充を要すると、遊技場の管理者はメダル取り出し装置１の扉１ａを開けて容器台６上にメダルジョッキＪを載置する。
【００１５】
図４に示すように操作ハンドル４ａを手前へ引くと、可動シュート４がシュート５側へ傾倒してスイッチ３ｂがＯＮになり、コントローラ３ｃはモータ３ａを駆動させてフィーダ３を始動させ、収容タンク２内のメダルＭをメダルジョッキＪへ払い出させる。
【００１６】
メダルジョッキＪ内が必要量に達すると、図５に示すように操作ハンドル４ａを前方へ押して元の位置に戻すことでスイッチ３ｂがＯＦＦになってフィーダ３が停止し、取り出し切れなかった払い出し途中の余剰メダルＭが可動シュート４を通じて回収タンク７へ落下する。そして、メダルジョッキＪを取り出して停止中のゲーム機１１内又はメダル貸し機１２内に補充する。
【００１７】
回収タンク７へ落下したメダルＭはフィーダ８でリフト９の受け口９ｂへ自動的に吐出され、モータ９ａで収容タンク２へ戻されて再使用される。なお、リフト９の受け口９ｂへは人手で直接外部から供給したり図示しない計量器やメダル洗浄研磨装置から供給して収容タンク２へ貯留するようにしてもよい。
【００１８】
本実施例はこのように構成したから、取り出し切れなかった余剰メダルＭを可動シュート４で回収タンク７へ案内させることで容器台６へのこぼれ及び装置外への落下が無くなり、こぼれたメダルＭを拾う作業を省略できる。
【００１９】
図６，７に示すのは、可動シュートの傾倒を電動化した実施例の他の例である
図６は実施例の他の例のメダルの取り出しを示す説明図、図７は実施例の他の例のクランクの動作を示す説明図である。図中、４ｂはクランク、４ｃはモータ、４ｄは回動スイッチである。
【００２０】
図７（ａ）に示すように回動スイッチ４ｄをＯＮにすると、コントローラ３ｃがモータ４ｃを半回転させてクランク４ｂで可動シュート４をシュート５側へ傾倒させ、スイッチ３ｂがＯＮになってフィーダ３でメダルＭが取り出される。図７（ｂ）に示すように回動スイッチ４ｄをＯＦＦにすると、コントローラ３ｃがモータ４ｃを半逆回転させてクランク４ｂで可動シュート４を回収タンク７側へ傾倒させ、スイッチ３ｂがＯＦＦになってフィーダ３が停止し、余剰メダルＭが回収タンク７へ回収される。その他、符号、構成は実施例と同じである。
【００２１】
図８に示すのは、操作ハンドルや回動スイッチを省略してフィーダの始動を自動化した実施例の他の例である。図８は実施例の他の例のメダルの取り出しを示す説明図である。図中、６ａは重量計である。
【００２２】
コントローラ３ｃはメダルジョッキＪを重量計６ａに載置すると荷重を感知してフィーダ３を自動的に始動させるとともに、メダルジョッキＪ内のメダルＭの総重量ＷとメダルジョッキＪの１杯分の枚数（およそ５００〜７００枚）相当の設定重量ｗとを比較してＷ≧ｗを満足するとフィーダ３の作動を停止するようにプログラムされている。
【００２３】
重量計６ａ上にメダルジョッキＪを載置すると、コントローラ３ｃは荷重を検知してフィーダ３を始動させ、収容タンク２内のメダルＭの吐出を開始させる。コントローラ３ｃはメダルジョッキＪ内にメダルＭが貯留されていく過程でその重量値を常時監視し、メダルＭの総重量が設定値を超えるとフィーダ３を停止させる。その他、符号、構成は実施例と同じである。
【００２４】
【発明の効果】
以上説明したように、本発明によればメダル取り出し時における容器台側へのメダルのこぼれを無くすことを可能とするメダル取り出し装置を提供できる。
【図面の簡単な説明】
【図１】実施例のメダル取り出し装置の内部の斜視図である。
【図２】実施例のメダル取り出し装置の動作を示す説明図である。
【図３】実施例のメダル取り出し装置の設置状態を示す斜視図である。
【図４】実施例の可動シュートの動作を示す説明図である。
【図５】実施例の可動シュートの動作を示す説明図である。
【図６】実施例の他の例のメダルの取り出しを示す説明図である。
【図７】実施例の他の例のクランクの動作を示す説明図である。
【図８】実施例の他の例のメダルの取り出しを示す説明図である。
【符号の説明】
１  メダル取り出し装置
１ａ  扉
２  収容タンク
３  フィーダ
３ａ  モータ
３ｂ  スイッチ
３ｃ  コントローラ
４  可動シュート
４ａ  操作ハンドル
４ｂ  クランク
４ｃ  モータ
４ｄ  回動スイッチ
５  シュート
６  容器台
６ａ  重量計
７  回収タンク
８  フィーダ
８ａ  モータ
９  リフト
９ａ  モータ
９ｂ  受け口
１０  補給路
１１  ゲーム機
１２  メダル貸し機
Ｊ  メダルジョッキ
Ｍ  メダル
【図１】
2004298332.tif 000003
【図２】
2004298332.tif 000004
【図３】
2004298332.tif 000005
【図４】
2004298332.tif 000006
【図５】
2004298332.tif 000007
【図６】
2004298332.tif 000008
【図７】
2004298332.tif 000009
【図８】
2004298332.tif 000010